(57)【要約】【課題】  本発明は、開閉操作が容易であり且つツマミ部の耐久性が確保されているとともに、外観意匠の自由度が高い引輪と、その製造方法を提供することにある。【解決手段】  中空の円環部材１と、付勢部材２と、開閉操作部材３とを備えており、円環部材１は、環の一部が分断して環内周側に他の引輪を通すための通し部４が設けてあり、周壁の外周側には、中空部Ｓと通じるスリット５が設けてあり、付勢部材２は、円環部材１の中空部Ｓに内蔵してあり、開閉操作部材３は、円環部材１の中空部Ｓに摺動自在に内蔵する半円弧状をなす摺動部８と、摺動部８の外周側から円環部材１のスリット５を挿通して外側に向けて突出するツマミ部９とを有しており、摺動部８は、付勢部材２に付勢されて中空部Ｓを摺動して一部が円環部材１の通し部４を閉塞する位置にあり、付勢部材２の付勢力に抗してツマミ部９を引くことにより、摺動部８が円環部材１内に引っ込んで通し部４が開放する引輪であって、ツマミ部９は、開閉操作部材３が閉じる側に傾いていることを特徴とする。【選択図】      図１
2013059544.tif 000002
【特許請求の範囲】
【請求項１】
中空の円環部材と、付勢部材と、開閉操作部材とを備えており、円環部材は、環の一部が分断して環内周側に他の引輪を通すための通し部が設けてあり、周壁の外周側には、中空部と通じるスリットが設けてあり、付勢部材は、円環部材の中空部に内蔵してあり、開閉操作部材は、円環部材の中空部に摺動自在に内蔵する半円弧状をなす摺動部と、摺動部の外周側から円環部材のスリットを挿通して外側に向けて突出するツマミ部とを有しており、摺動部は、付勢部材に付勢されて中空部を摺動して一部が円環部材の通し部を閉塞する位置にあり、付勢部材の付勢力に抗してツマミ部を引くことにより、摺動部が円環部材内に引っ込んで通し部が開放する引輪であって、ツマミ部は、開閉操作部材が閉じる側に傾いていることを特徴とする引輪。
【請求項２】
ツマミ部は、開閉操作部材が閉じる側に５°〜２５°の範囲で傾いていることを特徴とする請求項１記載の引輪。
【請求項３】
指が触れる被押圧部と、摺動部と一体的に成形してあり且つスリットから突出して被押圧部と連続する頸部とを有し、被押圧部は、両面を型で圧延されることで円環部材よりも幅広に形成してあることを特徴とする請求項１又は２記載の引輪。
【発明の詳細な説明】
【技術分野】
【０００１】
本発明は、ネックレスやブレスレット、アンクレット等の鎖状装身具の連結に使用する引輪に関するものである。
【背景技術】
【０００２】
ネックレスやブレスレット、アンクレット等の鎖状装身具には、身につけるときに、鎖の両端を留めるための引輪（スプリングリングとも呼ばれる。）が設けてある。そして、引輪は、全体が環状をなしており、環の外周に設けてあるほぼ垂直に起立したツマミ部を、内蔵されたコイルスプリング等の付勢部材の付勢力に抗して指の腹の部分や爪で引くことにより環の一部が開放する。
【先行技術文献】
【特許文献】
【０００３】
【特許文献１】実開昭４９−１４０３９１号公報
【発明の概要】
【発明が解決しようとする課題】
【０００４】
しかしながら、引輪は約２〜３ｍｍ程度の大変小さなものであり、このことから、引輪のツマミ部を引いたときには、ツマミの先端部が指に食い込み、使用者はツマミ部が指に刺さるような不快を感じるものであり、操作性に難があった。
本発明は上記課題を鑑みてなされたものであり、操作時の指や爪のあたりが良く、しかも操作性や使用感のよい引輪を提供することにある。
【課題を解決するための手段】
【０００５】
本発明のうち請求項１記載の発明は、中空の円環部材と、付勢部材と、開閉操作部材とを備えており、円環部材は、環の一部が分断して環内周側に他の引輪を通すための通し部が設けてあり、周壁の外周側には、中空部と通じるスリットが設けてあり、付勢部材は、円環部材の中空部に内蔵してあり、開閉操作部材は、円環部材の中空部に摺動自在に内蔵する半円弧状をなす摺動部と、摺動部の外周側から円環部材のスリットを挿通して外側に向けて突出するツマミ部とを有しており、摺動部は、付勢部材に付勢されて中空部を摺動して一部が円環部材の通し部を閉塞する位置にあり、付勢部材の付勢力に抗してツマミ部を引くことにより、摺動部が円環部材内に引っ込んで通し部が開放する引輪であって、ツマミ部は、開閉操作部材が閉じる側に傾いていることを特徴とする。
【０００６】
本発明のうち請求項２記載の発明では、ツマミ部は、開閉操作部材が閉じる側に５°〜２５°の範囲で傾いていることを特徴とする。
【０００７】
本発明のうち請求項３記載の発明は、指が触れる被押圧部と、摺動部と一体的に成形してあり且つスリットから突出して被押圧部と連続する頸部とを有し、被押圧部は、両面を型で圧延されることで円環部材よりも幅広に形成してあることを特徴とする。
【発明の効果】
【０００８】
本発明の請求項１記載の発明によれば、ツマミ部が開閉操作部材を閉じる側に傾いていることにより、開閉操作部材を操作するときに、ツマミ部に対して指の腹の部分が平行に当たり、指の押圧力が分散した状態で引輪の彎曲に沿って引くことができる。これにより、操作時には指にツマミ部が食い込むことがなく、引輪の使用感の向上を図ることができる。
【０００９】
本発明の請求項２記載の発明によれば、ツマミ部が開閉操作部材を閉じる側に５°〜２５°の範囲で傾いていることにより、ツマミ部の被押圧部と指との位置が最も平行な状態で広く当たり、この状態が摺動部材を開ききるまで保たれるので、指に対するツマミ部の被押圧部からの応力が分散して操作時の使用感が一層良好なものとなる。
【００１０】
本発明の請求項３記載の発明によれば、ツマミ部の被押圧部を圧延成形することにより、ツマミ部を構成する被押圧部と頸部との境界部分、及び頸部と他の開閉操作部材の他部（摺動部、開閉部）との境界部分が頸部を基点として次第に広がる傾斜状に形成してあることから、各境界部分が堅牢になり、被押圧部へ加わる使用時の荷重に対しても高い耐久性を有する引輪が形成される。さらに、両側から型で挟んで圧延することにより、被押圧部から隆起し且つ被押圧部と一体的なネームやブランドマーク等の装飾部を成形することができるので、従来の手法である溶接や削り出しによって装飾部を隆起させたものと比較し、装飾部と被押圧部の継目や縁部の雑な処理が解消され、付加価値の高い引輪が提供できるようになる。
【図面の簡単な説明】
【００１１】
【図１】（ａ）は、本実施による引輪の側面から見た縦断面図であり、（ｂ）は、頸部の周囲を拡大した側面図であり、（ｃ）は、（ａ）中Ａ−Ａ線縦断面図である。
【図２】（ａ）（ｂ）は、本実施による引輪の使用状態を示す側面図である。
【図３】（ａ）（ｂ）は、それぞれツマミ部の傾斜角度を変更して使用したときの側面図である。
【図４】（ａ）（ｂ）は、それぞれツマミ部の傾斜角度を変更して使用したときの側面図である。
【図５】（ａ）は、本実施による引輪の製造方法に使用する圧延装置の全体を示す簡略化した縦断面図であり、（ｂ）は、（ａ）における圧延時の状態を示す縦断面図である。
【図６】図５（ｂ）中Ｂを拡大し、本実施による引輪の製造方法の一手順を示す簡略化した縦断面図である。
【発明を実施するための形態】
【００１２】
以下に、図面に基づいて本実施による引輪の実施の形態を説明する。
本実施による引輪は、図１（ａ）のように、中空部Ｓを有する円環部材１と、付勢部材２と、開閉操作部材３とから構成されている。
【００１３】
円環部材１は、本実施のものでは１８金のパイプ材を環状に彎曲成形したものが使用されており、その環の一部が分断してほぼＣ字状をなすとともに、そのＣ字の分断箇所は、ネックレスやブレスレット等の鎖状装身具を構成する他の円環部材１を通す通し部４となっている。また、円環部材１の周壁の外周側には、中空部Ｓと通じるスリット５が設けてあり、このスリット５は、円環部材１の周方向に沿って、少なくとも通し部４の分断幅よりも長く伸びている。また、スリット５とは通し部４を挟んだ反対側の周壁内周側には、周壁の一部を中空部Ｓ内に屈曲して形成する止部６が設けてあり、さらに、周壁の外周側には、本実施による引輪を鎖状装身具の他の部材等と連結する連結環７が設けてある（図１（ａ）参照）。
【００１４】
付勢部材２は、本実施のものではコイルスプリングが使用してあり、円環部材１の中空部Ｓに摺動自在に内蔵してあるが、前述の円環部材１の止部６により、中空部Ｓでそれ以上摺動しないように規制してある（図１（ａ）参照）。
【００１５】
開閉操作部材３は、円環部材１の中空部Ｓに摺動自在に内蔵する半円弧状をなす摺動部８と、その摺動部８の外周側から円環部材１のスリット５を挿通して外側に向けて突出するツマミ部９を有しており、開閉操作部材３は、後述で詳細に説明するが、板材を打ち抜いて形成された原パーツ２３を加工したものである。また、摺動部８は、付勢部材２に付勢されて中空部Ｓを摺動して半円弧状の一部が円環部材１の通し部４を閉塞する位置にあるが、使用者が付勢部材２の付勢に抗してツマミ部９を指Ｆで押すことにより、通し部４が開放して、引輪に連結してある他の部材を外すこと、または、再び通すことができる。そして、ツマミ部９は、摺動部８の半円弧状の外周側から外方向に向けて突出する頸部９ａと、その頸部９ａと一体的に連続して使用者の指Ｆが触れる被押圧部９ｂとを有しており、被押圧部９ｂは、図１（ｂ）のように、本実施のものは正面から見てほぼ六角形状をなしており、摺動部８の延びる方向とは直交する方向に拡がる状態で形成してあり、その一面側が指Ｆで押す被押圧部９ｂをなすものである。その被押圧部９ｂと頸部９ａ及び、摺動部８と頸部９ａのそれぞれの境界部分１０は、頸部９ａから被押圧部９ｂへ、さらに、頸部９ａから摺動部８へ向かうに従って次第に広がる傾斜状に形成してあることにより、繰り返しの開閉操作に堪え得るようにツマミ部９の耐久性と、継目のない連続的な外観意匠性を醸し出すことによる装飾性の向上を図っている。
【００１６】
上記のように構成する引輪のうち、開閉操作部材３のツマミ部９は、図１（ａ）と図２（ａ）のように、開閉操作部材３が閉じる側に垂直位置Ｐから傾斜しており、その傾斜角度は、１５°に設定してある。このように形成すると、ツマミ部９を指Ｆで押圧して引いたときに、図２（ａ）のように、傾斜したツマミ部９の先端に指Ｆがかかり、てこの原理で軽い力で開閉操作部材３を引くことができる。さらに、図２（ｂ）のように、開閉操作部材３を開く方向に引いたとき、指Ｆがツマミ部９に引っ掛かりがよく軽い力をかけた状態のまま円環部材１の外周に沿って引くことができる。また、ツマミ部９の傾斜角度については、本実施形態ではその角度を１５°としているが、垂直位置Ｐから５°〜２５°の範囲内であれば、操作時のツマミ部９の被押圧部９ｂに対する指Ｆのかかりがよく、軽い力で開閉操作部材３を引くことができるようになる。また、ツマミ部９の傾斜角度が５°よりも鋭角であれば、図３（ａ）（ｂ）のように、ツマミ部９の先端が指Ｆから離れる方向に向いて、被押圧部９ｂを押したときに、そのツマミ部９の先端が強い力で押圧しなければならず、開閉操作部材３の操作時に突き刺すような痛みを伴うことになる。さらに、図４（ａ）（ｂ）のように、ツマミ部９の傾斜角度が１５°よりも鈍角であれば（実施のものは、開閉操作部材３の開き方向に垂直位置Ｐから３５°傾斜）、ツマミ部９を指Ｆの腹の部分で押圧したときに、被押圧部９ｂに対する指Ｆの引っ掛かりが弱いことから、ツマミ部９の被押圧部９ｂに指Ｆの押圧力がうまく伝わらず、被押圧部９ｂを指Ｆで押しにくくなる不都合がある。
【００１７】
また、上記のツマミ部９は、圧延装置２１を用いて成形される。ここで、本実施の製造方法に使用する圧延装置２１について簡単に説明すると、図５（ａ）（ｂ）のように、圧延装置２１は、図示にある左右二方向に配置した型２２，２２で原パーツ２３を圧延するプレス式のものである。具体的には、図５（ａ）のように、上ラム２４に支持されて上下動する加圧ブロック２５，２５と、プレスボルスタ２７の上に載置されて左右動する型保持ブロック２６，２６と、原パーツ２３を固定する材料固定部２８とを有しており、加圧ブロック２５，２５と型保持ブロック２６，２６は、材料固定部２８を挟む両側の位置に配置してあり、さらに、両側の型保持ブロック２６，２６は、スプリングダンパ２９，２９によって材料固定部２８から常に離れる方向に付勢されている。また、加圧ブロック２５，２５と型保持ブロック２６，２６が傾斜面３０，３０同士で当接しており、加圧ブロック２５，２５を下げることで、図５（ｂ）のように、型保持ブロック２６，２６は、スプリングダンパ２９，２９の付勢力に逆らって傾斜面３０，３０で押されながら材料固定部２８に向かい、その先端に取り付けてある型２２，２２で原パーツ２３を圧延する。
【００１８】
上述した圧延装置２１に開閉操作部材３を固定して圧延することにより、図６（ａ）のように、型２２，２２の間に挟まれた原パーツ２３が圧延されて、図６（ｂ）のように、正面から見てほぼ六角形状をなす被押圧部９ｂが設けられたツマミ部９を有する開閉操作部材３を成形する。また、本実施による型２２，２２は、原パーツ圧延面２２ａの下部に、丸みを帯びた傾斜部２２ｂが設けてあり、これにより、ツマミ部９における頸部９ａと被押圧部９ｂ、頸部９ａと摺動部８のそれぞれの境界部分１０に、頸部９ａから被押圧部９ｂおよび頸部９ａから摺動部８に向かうに従って次第に広がる傾斜部２２ｂが設けられるので、原パーツ２３におけるツマミ部９を単に曲げ加工して曲げて傾斜部２２ｂを設けたものに比べ、金属への負荷が軽減されて繰り返し操作されるツマミ部９の耐久性が高くなり、しかも、連続的な外観意匠性を有する開閉操作部材３が成形できる。また、本実施のものでは、開閉操作部材３を正面視したときにほぼ六角形状の被押圧部９ｂを有するツマミ部９が形成されるが、その六角形の最大幅寸法は、円環部材１の径よりも寸法が大きくなっている。これは、板材から原パーツ２３を取るときに、ツマミ部９の形成部分が大きくなるように板材から抜き出し、さらに、所望する形状と大きさの頸部９ａ及び被押圧部９ｂとほぼ一致する凹部２２ｃを有する型２２，２２で圧延しており、本実施のものでは、被押圧部９ｂを円環部材１の径よりも幅広に成形して、使用者が開閉操作部材３のツマミ部９の被押圧部９ｂを指Ｆの腹の部分で簡単に押して操作できる構造としている。
【００１９】
本発明の引輪における開閉操作部材３のツマミ部９の形態は、上記実施形態のものに限らず、圧延装置２１の型２２を適宜変更することにより、自由な形状、寸法に成形できる。また、ツマミ部９の傾斜については、上記実施形態のように、原パーツ２３を打ち抜く段階で形成してもよいが、圧延時にツマミ部９の傾斜を設けてもよい。また、圧延装置２１は、本実施のものでは、左右に型２２を配置する二方向式のものを使用したが、型２２の配置関係が上下でもよいし、前後左右あるいは上下左右の四方向式、その他、様々な方式のものを使用してもよい。また、圧延後の被押圧部９ｂの外周縁には、その形状によってバリが発生することがあり、この場合にはトリミング加工を施すことで滑らかに仕上げることができる。
【符号の説明】
【００２０】
１  円環部材
２  コイルスプリング（付勢部材）
３  開閉操作部材
４  通し部
５  スリット
８  摺動部
９  ツマミ部
９ａ  頸部
９ｂ  被押圧部
Ｆ  指
Ｓ  中空部
【図１】
2013059544.tif 000003
【図２】
2013059544.tif 000004
【図３】
2013059544.tif 000005
【図４】
2013059544.tif 000006
【図５】
2013059544.tif 000007
【図６】
2013059544.tif 000008